(57)【要約】　　　（修正有）【課題】水を均等に噴水できる噴水器を提供する。【解決手段】噴水器は、座管１０と導流体２０と噴水カバー４０とを有している。座管１０に設けられた円筒管１４には、円柱状の導流体２０が嵌合される凹部１５と孔１６とが形成される。導流体２０の上面には、円形状の流水部３１と流水部３１で逆方向に連結される２つの弧状の溝３２，３３とが形成されている。噴水カバー４０が座管１０に最後まで螺合されたとき、孔１６から出た流水は、流水空間から弧状溝３２，３３に導入され、流水部３１で渦巻状の流水を発生することができる。【選択図】　　　図２
0003097269.tif 000002
【実用新案登録請求の範囲】
【請求項１】
ホースの先端に取り付けられる座管と該座管の先端に嵌合される円柱状の導流体と前記座管を覆う噴水カバーとを有する噴水器であって、
前記座管は、該座管の先端に設けられた円筒管の先端に形成された円筒状の凹部と、前記円筒管の側面に形成された孔と、前記円筒管のホース側に形成されたネジ山と、管とを有し、
前記導流体は、前記座管の前記凹部に嵌合され、該導流体の先端面には、該先端面の中心で逆方向に連結される２つの弧状の溝を有し、
前記噴水カバーは、該噴水カバーの内部に設けた流水孔と、前記座管の前記ネジ山に螺合されるホース側に形成されたネジ溝と、前記噴水カバーの先端面の中心に形成された噴水孔とを有し、
前記ネジ山と前記ネジ溝を最後まで締めたとき、前記導流体の先端面の中心と前記噴水孔の中心とが一致し、前記流水孔と前記円筒管との間に流水空間を有することを特徴とする噴水器。
【請求項２】
前記導流体は、ゴム材質で製造されることを特徴とする請求項１に記載の噴水器。
【考案の詳細な説明】
【０００１】
【考案の属する技術分野】
本考案は噴水器に係るものであり、特に、水を撒くための噴水器に係るものである。
【０００２】
【従来の技術】
一般的には、園芸において水を供給するとき、噴水器が使用される。従来の噴水器は、座管と噴水カバーとを有している。座管は、ホースの先端に取り付けられ、噴水カバーが座管の先端を覆うように螺合されている。噴水カバーには、噴水カバーの先端の相対する両側に２つの斜め口状の噴水口が形成されている。ホースから座管に水が導入されることにより、噴水カバー内に水流が発生し、水が噴水カバーの噴水口から噴出される。
【０００３】
【考案が解決しようとする課題】
しかしながら、噴水口の両端から水を噴水するため噴水口に連結部が設置されているが、継続的に遮断されることなく、水を噴出することができないという問題が生じる。また、噴出器内の水に局部的な強弱が現れ、水の供給が不均一になり、均一な環状の噴水を行うことができないという問題が生じる。
【０００４】
本考案は、噴水器において、水を均等に噴水できる噴水器を提供することを目的とする。
【０００５】
【課題を解決するための手段】
前記の目的を図るために、本考案は、ホースの先端に取り付けられる座管と該座管の先端に嵌合される円柱状の導流体と前記座管を覆う噴水カバーとを有する噴水器であって、前記座管は、該座管の先端に設けられた円筒管の先端に形成された円筒状の凹部と、前記円筒管の側面に形成された孔と、前記円筒管のホース側に形成されたネジ山と、管とを有し、前記導流体は、前記座管の前記凹部に嵌合され、該導流体の先端面には、該先端面の中心で逆方向に連結される２つの弧状の溝を有し、前記噴水カバーは、該噴水カバーの内部に設けた流水孔と、前記座管の前記ネジ山に螺合されるホース側に形成されたネジ溝と、前記噴水カバーの先端面の中心に形成された噴水孔とを有し、前記ネジ山と前記ネジ溝を最後まで締めたとき、前記導流体の先端面の中心と前記噴水孔の中心とが一致し、前記流水孔と前記円筒管との間に流水空間を有することを特徴とする。
【０００６】
本考案において、座管の先端に導流体を嵌合し、座管と噴水カバーとを螺合することにより、導流体の先端面を噴水カバーの先端面に密着させ、座管に設けられた円筒管と噴水カバーの流水孔との間に流水空間を有することができる。流水空間から導流体に形成された２つの弧状溝に水が流れる。２つの弧状溝が連結される導流体の上端面の中心で水が交差することにより、渦巻状水流が発生し、噴水カバーの噴水孔から均一で細かい環状の水を噴出することができる。
【０００７】
また、本考案は、請求項２に記載されるように、前記導流体は、ゴム材質で製造されることを特徴とする
本考案において、導流体をゴム材質で製造することにより、導流体と噴水カバーの先端面を隙間無く確実に接することができるため、全ての流水を流水空間から導流体の２つの弧状溝に導入することができる。
【０００８】
【考案の実施の形態】
以下に添付図面を参照して本考案のある好適な実施の形態を詳細に説明するが、それらの構成は本考案の構造の絶対的な制限にならない。
【０００９】
図１は、本実施例の噴水器の分解立体図である。図２は、本実施例の噴水器の導流体２０を示す分解立体図である。図３は、本実施例の噴水器の断面図である。
【００１０】
本実施例の噴水器は、座管１０と導流体２０と噴水カバー４０とを有している。
【００１１】
図３に示すように、座管１０は、内部に中空の管１１が形成され、座管１０のホース側の端部とホース１２先端とが嵌合固定される。座管１０の中段の外周にネジ山１３が形成され、先端にネジ山１３より径の小さい円筒管１４が設けられている。円筒管１４は、先端面に円筒状の凹部１５を有し、円筒管１４の側面に孔１６が形成され、内部の管１１と通じている。ネジ山１３と円筒管１４との間にＯ状環１７が取り付けられている。Ｏ状環１７の外周は、噴水カバー４０の内面と密着することができる。
【００１２】
導流体２０は、例えばゴムのような軟性材質で製造される。導流体２０は、凹部１５内に嵌入され、先端面には溝３０を有している。溝３０の中心には、円形状の流水部３１が形成されている。導流体２０の側面から流水部３１で逆方向に連結される２つの弧状の弧状溝３２，３３が形成されている。
【００１３】
噴水カバー４０は、座管１０の上段外周に組み付けられ、図３に示すように、内部に流水孔４１を有し、先端面に噴水孔４５が形成されている。噴水孔４５は、下部が円筒状で、上部は徐々に直径が大きくなっていく円形形状に形成されている。噴水カバー４０は、流水孔４１底段にネジ溝４２を有することにより、座管１０のネジ山１３とネジ結合することができる。
【００１４】
噴水カバー４０のネジ溝４２と座管１０のネジ山１３とを最後まで締めたとき、流水孔４１の先端面４３は導流体２０の先端面に密着でき、流水孔４１と円筒管１４との間に流水空間４４が設けられる。流水空間４４の下方は、Ｏ状環１７により密封される。導流体２０の溝３０の流水部３１の中心は、噴水カバー４０の噴水孔４５の中心と一致する。
【００１５】
上記構造により、本実施例の噴水器の出水時における噴水器内部の水の流れは、以下の如くである。
【００１６】
図４は、本実施例の噴水器の水流Ｗの状態を示す図である。図５は、本実施例の溝３０の水流Ｗの状態を示す図である。
【００１７】
図４に示すように、水流Ｗはホース１２内より座管１０の管１１内へ流れ込み、管１１と貫通する円筒管１４の孔１６より流水空間４４へ流れ込む。水流Ｗは流水空間４４に沿って、上方に移動し、流水孔４１の先端面４３に到るとき、図５に示すように、２つの弧状溝３２，３３に沿って、中央の流水部３１に向かって交差する。２つの弧状溝３２，３３によって、水流Ｗが交差するため、渦巻状水流Ｗ１は、噴水孔４５より出水し、均一で細かい環状の水を噴出することができる。
【００１８】
【考案の効果】
上述したように、本考案の噴水器において、均一で細かい環状の水を噴出することができる。
【図面の簡単な説明】
【図１】本実施例の噴水器の分解立体図である。
【図２】本実施例の噴水器の導流体を示す分解立体図である。
【図３】本実施例の噴水器の断面図である。
【図４】本実施例の噴水器の水流Ｗの状態を示す図である。
【図５】本実施例の溝の水流Ｗの状態を示す図である。
【符号の説明】
１０　　　座管
１１　　　管
１２　　　ホース
１３　　　ネジ山
１４　　　円筒管
１５　　　凹部
１６　　　孔
１７　　　Ｏ状環
２０　　　導流体
３０　　　溝
３１　　　流水部
３２，３３　　　弧状溝
４０　　　噴水カバー
４１　　　流水孔
４２　　　ネジ溝
４３　　　先端面
４４　　　流水空間
４５　　　噴水孔
Ｗ　　　　水流
Ｗ１　　　渦巻状水流
【図１】
0003097269.tif 000003
【図２】
0003097269.tif 000004
【図３】
0003097269.tif 000005
【図４】
0003097269.tif 000006
【図５】
0003097269.tif 000007